(57)【要約】【課題】  壁面やスクリーンに映像を拡大して投影するプロジェクタが、天井等上部空間の構造物に取付具を介して固定された状態で、使用者が床面に立ったままプロジェクタの投影方向や角度を任意に調整することが可能なプロジェクタ用方向調整具を提供すること。【解決手段】  投影面が鉛直方向に配された第１のスクリーン２１と、投影面が水平方向に配された第２のスクリーン２２との両者に対して選択的に投影を可能とする取付具３を介して使用者２６の位置する空間上方の上部構造物２７に固定されたプロジェクタ用方向調整具１であって、プロジェクタ用方向調整具１は、プロジェクタ２の投影方向に対してプロジェクタ２から延伸する第１の把持部６と、第１の把持部６が第１のスクリーン２１の方向に延伸した状態において、プロジェクタ２から第２のスクリーン２２方向に延伸した第２の把持部７を備える。【選択図】図５
2014199315.tif 000002
【特許請求の範囲】
【請求項１】
投影面が鉛直方向に配された第１のスクリーンと、投影面が水平方向に配された第２のスクリーンとの両者に対して選択的に投影を可能とする取付具を介して、使用者の位置する空間上方の上部構造物に固定されたプロジェクタ用方向調整具であって、
当該プロジェクタ用方向調整具は、当該プロジェクタの投影方向に対して当該プロジェクタから延伸する第１の把持部と、当該第１の把持部が前記第１のスクリーンの方向に延伸した状態において、前記プロジェクタから前記第２のスクリーン方向に延伸した第２の把持部を備えることを特徴とするプロジェクタ用方向調整具。
【請求項２】
前記第１の把持部又は前記第２の把持部の先端部乃至中腹部からは、前記第２の把持部又は第１の把持部の方向に対して、前記第３の把持部が延伸していることを特徴とする請求項１に記載のプロジェクタ用方向調整具。
【請求項３】
前記第３の把持部は、前記第１の把持部及び前記第２の把持部に連結されたことを特徴とする請求項２に記載のプロジェクタ用方向調整具。
【請求項４】
前記第３の把持部は、前記空間の床面からの最短距離が一定となるように、前記プロジェクタから遠ざかる方向に膨らむ円弧上に配される点を特徴とする請求項２又は請求項３に記載のプロジェクタ用方向調整具。
【請求項５】
前記取付具は、さらに前記プロジェクタを水平方向に回動可能であって、
前記第１の把持部の先端部乃至中腹部からは、当該第１の把持部が前記第２のスクリーン側に延伸した状態で、前記プロジェクタの水平方向の回動軸芯の延長線に対して垂直の方向で、かつ、当該延長線に近づく方向に延伸する第４の把持部をさらに備えることを特徴とする請求項１乃至請求項４のうち、いずれか１に記載のプロジェクタ用方向調整具。
【請求項６】
前記取付具は、さらに前記プロジェクタを水平方向に回動可能であり、それによって、前記プロジェクタは、投影面が鉛直方向に配された第３のスクリーンにも選択的に投影可能であり、
前記第２の把持部の先端部乃至中腹部からは、当該第２の把持部が前記第２のスクリーン側に延伸した状態で、前記プロジェクタの水平方向の回動軸芯の延長線に対して垂直の方向で、かつ、当該延長線に近づく方向に延伸する第５の把持部をさらに備えることを特徴とする請求項１乃至請求項５のうち、いずれか１に記載のプロジェクタ用方向調整具。
【請求項７】
前記第１の把持部、前記第２の把持部、前記第３の把持部、前記第４の把持部及び／又は前記第５の把持部は、前記プロジェクタの投影範囲に干渉しない位置に配されることを特徴とする請求項１乃至請求項６のうち、いずれか１に記載のプロジェクタ用方向調整具。
【発明の詳細な説明】
【技術分野】
【０００１】
本発明は、壁面やスクリーンに映像を拡大して投影するプロジェクタが、天井等上部空間の構造物に取付具を介して固定された状態で、使用者が床面に立ったままプロジェクタの投影方向や角度を任意に調整することが可能なプロジェクタ用方向調整具に関する。
【背景技術】
【０００２】
プロジェクタは、部屋の天井や梁など、使用者の上部空間の構造物に設置されて部屋の壁面または壁面の手前側に鉛直方向に配置されたスクリーン（第１のスクリーン）に映像を水平方向に拡大投影可能である。
【０００３】
そればかりではなく、プロジェクタの投影方向を適宜変更して、例えば、プロジェクタの投影方向をプロジェクタの直下に位置するテーブル上等の水平方向のスクリーン（第２のスクリーン）や、鉛直方向に別途設定されたスクリーン（第３のスクリーン）に向けて投影することも可能であり、このような投影変更を行うべく、２軸ヒンジ機構を備えるプロジェクタの吊り下げ具が一般に用いられている。
【０００４】
このプロジェクタの吊下げ装置は、天井や梁など上部空間の構造物への固定具と、固定具とプロジェクタ本体の取付部の間に介されてプロジェクタの投影方向を調整可能とする調整機構から構成される。
【０００５】
図９は、従来のプロジェクタ及びその吊り下げ装置を示す分解斜視図である。図９に示すように、プロジェクタ２の吊下げ装置６０は取付具３と、基体部６１とから構成されている。
【０００６】
取付具３は、天井への固定プレート３０と、方向・角度を調整可能な２軸ヒンジ３３とで構成され、固定プレート３０は螺子４１の固定手段により、天井へ固定されると共に、螺子４２の固定手段により２軸ヒンジ３３を固定している。プロジェクタ２を螺子４４で固定する基体部５は螺子４３により２軸ヒンジ３３に固定されている。
【０００７】
２軸ヒンジ３３は、取付プレート３３ａと、第１ヒンジ３３ｂと、一対の第２ヒンジ３３ｃと、水平方向回動軸３３ｄと、鉛直方向回動軸３３ｅとで構成されている。取付プレート３３ａと第１ヒンジ３３ｂとは、水平方向回動軸３３ｄを介して、水平方向回動軸３３ｄの軸芯（水平方向の回動軸芯の延長線Ｌ１参照）回りに回動可能に締結されている。
【０００８】
第１ヒンジ３３ｂと一対の第２ヒンジ３３ｃとは、鉛直方向回動軸３３ｅを介して、鉛直方向回動軸３３ｅの軸芯（鉛直方向の回動軸芯の延長線Ｌ２参照）回りに回動可能に締結されている。また、各回動軸には図示しないばね座金や、皿座金等の部品が組み込まれており、設定されたトルク以下の回動力に対しての抵抗力を持ち、回動方向で使用者の所望の位置を維持することを可能としている。
【０００９】
プロジェクタの設置時又は投影方向変更時においては、予め配されたスクリーンの位置に対応して、２軸ヒンジ３３の形態を調整して投影方向を確定している。
【００１０】
尚、出願人は、上記従来技術に係る事実を知っているものの、これら先行技術は、文献公知発明に係るものではなく、先行技術文献情報としては不知である。
【発明の概要】
【発明が解決しようとする課題】
【００１１】
しかしながら、プロジェクタの投影方向を水平方向に投影する第１のスクリーンから、プロジェクタ２の直下に位置する第２のスクリーンや、鉛直方向に別途設定された第３のスクリーンに向けて水平方向に投影しようとして、投影方向を変更する場合、プロジェクタ２が天井や梁など上部空間の構造物へ固定されていることから、脚立や椅子などに上がって行う必要があり、道具類の準備と投影方向の変更操作に時間がかかってしまっていた。
【００１２】
そこで、本発明は、上述の問題に鑑みてなされたものであり、プロジェクタが、天井等上部空間の構造物に取付具を介して固定された状態で、使用者が床面に立ったままプロジェクタの投影方向や角度を任意に調整することが可能なプロジェクタ用方向調整具を提供することを目的とする。
【課題を解決するための手段】
【００１３】
上記目標達成のため、本発明は、投影面が鉛直方向に配された第１のスクリーンと、投影面が水平方向に配された第２のスクリーンとの両者に対して選択的に投影を可能とする取付具を介して、使用者の位置する空間上方の上部構造物に固定されたプロジェクタ用方向調整具であって、当該プロジェクタ用方向調整具は、当該プロジェクタの投影方向に対して当該プロジェクタから延伸する第１の把持部と、当該第１の把持部が前記第１のスクリーンの方向に延伸した状態において、前記プロジェクタから前記第２のスクリーン方向に延伸した第２の把持部を備えることを特徴とする。
【００１４】
また、本発明の前記第１の把持部又は前記第２の把持部の先端部乃至中腹部からは、前記第２の把持部又は第１の把持部の方向に対して、前記第３の把持部が延伸していることを特徴とする。
【００１５】
また、本発明の前記第３の把持部は、前記第１の把持部及び前記第２の把持部に連結されたことを特徴とする。
【００１６】
また、本発明の前記第３の把持部は、前記空間の床面からの最短距離が一定となるように、前記プロジェクタから遠ざかる方向に膨らむ円弧上に配される点を特徴とする。
【００１７】
また、本発明の前記取付具は、さらに前記プロジェクタを水平方向に回動可能であって、前記第１の把持部の先端部乃至中腹部からは、当該第１の把持部が前記第２のスクリーン側に延伸した状態で、前記プロジェクタの水平方向の回動軸芯の延長線に対して垂直の方向で、かつ、当該延長線に近づく方向に延伸する第４の把持部をさらに備えることを特徴とする。
【００１８】
また、本発明の前記取付具は、さらに前記プロジェクタを水平方向に回動可能であり、それによって、前記プロジェクタは、投影面が鉛直方向に配された第３のスクリーンにも選択的に投影可能であり、  前記第２の把持部の先端部乃至中腹部からは、当該第２の把持部が前記第２のスクリーン側に延伸した状態で、前記プロジェクタの水平方向の回動軸芯の延長線に対して垂直の方向で、かつ、当該延長線に近づく方向に延伸する第５の把持部をさらに備えることを特徴とする。
【００１９】
また、本発明の前記第１の把持部、前記第２の把持部、前記第３の把持部、前記第４の把持部及び／又は前記第５の把持部は、前記プロジェクタの投影範囲に干渉しない位置に配されることを特徴とする。
【発明の効果】
【００２０】
本発明によれば、使用者の位置する空間上方の上部構造物に固定されたプロジェクタの投影方向を変更するに際し、脚立や椅子などの道具を使用することなく、床上から本方向調整具の把持部を操作することで容易に変更でき、作業時間と手間を省くことが出来る。
【００２１】
本発明によれば、第３の把持部をプロジェクタから遠ざかる方向に膨らむ円弧形状とすることで、第１のスクリーンと第２のスクリーンとの間でプロジェクタの投影方向を変更する場合、使用者が把持する第３の把持部の把持部分が常に床面から同一距離とすることが可能となり、第３の把持部の把持が容易であるばかりか、使用者に対しても操作中に違和感を覚えさせることがない。
【００２２】
本発明によれば、プロジェクタが設置された部屋の周囲全ての壁面方向に設置されるスクリーン、さらには、プロジェクタ直下の方向に対しても投影方向の変更が容易に行えるので、映像の内容や見る人の数などに応じて適宜スクリーンを選択でき、プロジェクタの効果的な使用が可能となる。
【００２３】
本発明によれば、鉛直方向に設置されたスクリーンからプロジェクタ直下において水平方向に設置されたスクリーン、例えばテーブル上への投影方向の変更も容易に行えるので、テーブル上の投影部分の横に図面や実物等を置いて、映像との比較検討作業を行うといったプロジェクタの効果的な使用が可能となる。
【図面の簡単な説明】
【００２４】
【図１】本発明の第１の実施形態に係るプロジェクタ用方向調整具をプロジェクタに取り付けた状態を示す斜視図である。
【図２】図１に係るプロジェクタを鉛直方向に向けた状態の斜視図である。
【図３】図１に係るプロジェクタ、プロジェクタ用方向調整具等の分解斜視図である。
【図４】図１に係るプロジェクタの使用方法を示す概略説明図である。
【図５】図４に係るプロジェクタを鉛直方向に向けた図である。
【図６】図１に係るプロジェクタの他の使用方法を示す概略説明図である。
【図７】本発明の第２の実施形態に係るプロジェクタ用方向調整具をプロジェクタに取り付けた状態を示す斜視図である。
【図８】図７に係るプロジェクタを鉛直方向に向けた状態の斜視図である。
【図９】従来のプロジェクタ及びその吊り下げ装置を示す分解斜視図である。
【発明を実施するための形態】
【００２５】
［本発明の第１の実施形態に係るプロジェクタ用方向調整具］
以下、本発明の第１の実施形態に係るプロジェクタ用方向調整具について図１乃至図６を参照しながら詳細に説明する。図１は、本発明の第１の実施形態に係るプロジェクタ用方向調整具をプロジェクタに取り付けた状態を示す斜視図である。図２は、図１に係るプロジェクタを鉛直方向に向けた状態の斜視図である。図３は、図１に係るプロジェクタ、プロジェクタ用方向調整具等の分解斜視図である。図４は、図１に係るプロジェクタの使用方法を示す概略説明図である。図５は、図４に係るプロジェクタを鉛直方向に向けた図である。図６は、図１に係るプロジェクタの他の使用方法を示す概略説明図である。尚、背景技術において説明したものと同一機能及び構成を有するものについては同一の参照符号を付して示し、その詳細な説明は省略する。
【００２６】
［本発明の第１の実施形態に係るプロジェクタ用方向調整具の構成］
図１乃至図３を使用して本発明の第１の実施形態に係るプロジェクタ用方向調整具１の構成を説明する。同図に示すように、プロジェクタ用方向調整具１は取付具３に固定される平板矩形状の基体部５と、基体部５の側面に固定されてプロジェクタ２の投影方向（レンズ２ａ正面側）に延伸した第１の把持部６と、第１の把持部６と基体部５との固定部から、プロジェクタ２の投影方向に対して９０度傾いて、図１の水平方向に投影した状態において、鉛直方向に延伸した第２の把持部７と、前記第１の把持部６の先端部６ａと前記第２の把持部７の先端部７ａとを連結する第３の把持部８とから構成されている。
【００２７】
基体部５は所要の強度を満たす平板矩形状の板金構造物から構成され、第１の把持部６、第２の把持部７及び第３の把持部８は、中実及び／又は中空の棒状体で構成されている。また、第１の把持部６、第２の把持部７及び第３の把持部８はプロジェクタの投影範囲に干渉しない位置に配される。
【００２８】
図２に示すように、固定プレート３０と２軸ヒンジ３３とから構成される取付具３は、従来の吊り下げ装置６０と同様の構成となっており、その説明を省略する。取付具３を構成する２軸ヒンジ３３の鉛直方向回動軸３３ｅの軸芯（鉛直方向の回動軸芯の延長線Ｌ２参照）を中心とする円弧上に前記第１の把持部６の先端及び第２の把持部７の先端及び第３の把持部８全体を配置することにより、プロジェクタ用方向調整具１の鉛直方向回動時の第３の把持部８の軌跡が同一円弧上となり、床面から常に同じ高さの位置で調整操作が可能となり、使用者は、第３の把持部８の把持が容易であるばかりか、使用者はプロジェクタ用方向調整具１の調整操作を違和感を覚えることなく行うことができる。
【００２９】
尚、前記第１の把持部６及び第２の把持部７の長さ、第３の把持部８の形状は上記説明に限定されるものではなく、第１の把持部６及び第２の把持部７の長さが十分にあり、この２つの把持部（６，７）のみで、使用者にとって十分にプロジェクタの投影方向の変更が可能であれば、第３の把持部８が無い構成も可能である。
【００３０】
また、天井や梁など上部空間の構造物の取付面の高さに応じて、プロジェクタ用方向調整具１の第１の把持部６、第２の把持部７の長さを適切に設定することにより、部屋にプロジェクタが固定された状態でも使用者の頭部に干渉することなく、実使用時には手を伸ばしてプロジェクタ方向調整操作が可能となる位置が確保可能である。
【００３１】
また、第３の把持部８は、第１の把持部６の先端部６ａ及び第２の把持部７の先端部７ａに連結される必要はなく、使用者が問題なく把持可能であれば、第１の把持部６の中腹部６ｂ及び／又は第２の把持部７の中腹部７ｂに連結されてもよいことは当然である。
【００３２】
第３の把持部８は、第１の把持部６及び前記第２の把持部７の両者に連結されていてもよいし、何れか一方にのみ連結される構成、さらには、両者に連結されるものの、その一部が欠損しており、第３の把持部８が、第１の把持部６と第２の把持部７との間で連続していない構成ともすることが可能である。
【００３３】
［本発明の第１の実施形態に係るプロジェクタ用方向調整具の使用方法］
図３乃至図６を使用して、本発明の第１の実施形態に係るプロジェクタ用方向調整具の使用方法を説明する。
【００３４】
まず、図３に示すようにプロジェクタ２をプロジェクタ方向調整具１に螺子４４で締結固定する。
【００３５】
予め組み付けられた取付具３と、プロジェクタ２が固定されたプロジェクタ方向調整具１とを、螺子４３で締結固定する。
【００３６】
天井２７（図４）等の上部空間の構造物（上部構造物）に予め設けられた図示しない螺子穴に対して、取付具３の螺子穴４１ａ１の位置合わせを行い、螺子４１により締結固定を行う。これによって、プロジェクタ方向調整具１の設置が完了する。
【００３７】
次に、その使用法として、図４に示すように、使用者２６は、例えば壁面といった鉛直面内に設けられた第１のスクリーン２１に対して、第２の把持部７や、第３の把持部８を把持して、プロジェクタ方向調整具１の投影方向を調整し、プロジェクタ２の映像を第１のスクリーン２１上に定置する。
【００３８】
また、投影方向を第１のスクリーン２１の壁面とは別の壁面のように鉛直面内に別途設けられた第３のスクリーン２３に変更する場合も、同様に第２の把持部７や、第３の把持部８を把持して、プロジェクタ方向調整具１を水平方向に回動して投影方向を調整し、プロジェクタ２の映像を第３のスクリーン２３上に定置する。
【００３９】
また、図５を用いて、プロジェクタ２直下のテーブル２２上のような水平面内に設けられた第２のスクリーン２２に対して投影方向を変更する手順を以下に説明する。
【００４０】
まず、鉛直面内に設けられた第１のスクリーン２１に投影方向が設定された状態で、使用者２６は第３の把持部８を把持し、把持位置を適宜ずらしながらプロジェクタ方向調整具１を投影方向が水平方向から鉛直方向となるように回動させて、プロジェクタ２の投影方向を水平面内に設けられた第２のスクリーン２２に向け、最終的に、第１の把持部６又は第３の把持部８を把持して、プロジェクタ２の映像が第２のスクリーン２２上となるように調整して定置する。
【００４１】
従って、図５に示すように、使用者２６がプロジェクタ方向調整具１の把持部を操作することにより、床面２８に立った状態のまま、プロジェクタの投影方向を天井方向を除く周囲全ての方向と床面方向に容易に変更可能である。
【００４２】
また、投影内容や見る人の数などに応じてスクリーン位置を自由に選択可能であり、必要に応じてテーブル上の投影部分の横に図面や実物等をおいて映像との比較検討作業を行う等、プロジェクタの効果的な使用が可能となる。
【００４３】
また、図６に他の使用方法を示すものであって、ビルなどの大部屋内に簡易的に仕切られた、櫓体２９で構成された小部屋の事例を示している。上部構造物としての梁２９ａに対応した取付具６３に固定されたプロジェクタ方向調整具１の、鉛直面内に設けられた第１のスクリーン２１に対しての投影状態を表している。
【００４４】
他の鉛直面内に設けられた第３のスクリーン２３や、水平面内に設けられた第２のスクリーン（図示せず）に対する投影方向の変更操作は、前記と同様であり、このような構成によっても種々の方向にスクリーン２０が存在する場合であっても、非常に容易にプロジェクタ２の投影方向の変更が可能である。
【００４５】
［本発明の第２の実施形態に係るプロジェクタ用方向調整具］
図７及び図８を使用して本発明の第２の実施形態に係るプロジェクタ用方向調整具１の構成を説明する。図７は、本発明の第２の実施形態に係るプロジェクタ用方向調整具をプロジェクタに取り付けた状態を示す斜視図である。図８は、図７に係るプロジェクタを鉛直方向に向けた状態の斜視図である。この第２の実施形態において、第１の実施形態と同様な部分は、同一の参照符号を付して示し、その詳細な説明は省略する。
【００４６】
図７及び図８に示すように、本発明の第２の実施形態においては、第１の実施形態に比して、さらに他の把持部を備える点のみが異なる。
【００４７】
即ち、図８に示すように、第１の把持部６が第２のスクリーン側２２側に延伸した状態で、第１の把持部６の先端部６ａからプロジェクタ１の水平方向の回動軸芯の延長線Ｌ１に対して垂直の方向で、かつ、当該延長線に近づく方向に延伸する第４の把持部１１を備える。
【００４８】
また、図７に示すように、第２の把持部７が第２のスクリーン２２側に延伸した状態で、第２の把持部７の先端部７ａからプロジェクタの水平方向の回動軸芯の延長線Ｌ１に対して垂直の方向で、かつ、当該延長線に近づく方向に延伸する第５の把持部１２を備える。
【００４９】
さらに、基体部５の側面で第１の把持部６とプロジェクタ２を介して反対側の側面に固定され、第１の把持部６と平行にプロジェクタの投影方向に延伸し、第４の把持部１１と先端で連結された第６の把持部１３を備える。またさらに、第６の把持部１３と基体部５との固定部から、前記第２の把持部７と平行に鉛直方向に延伸し、第５の把持部１２と先端で連結された、第７の把持部１４を備える。
【００５０】
これにより、図７に示すように、プロジェクタ２の投影面が鉛直面に配されたスクリーンに設定されている場合（投影方向が水平方向の場合）には、第５の把持部１２を把持して、プロジェクタ２の水平方向の回動を行うことが可能であり、第５の把持部１２は、プロジェクタ２の水平方向の回動軸芯の延長線Ｌ１に対して垂直の方向で、かつ、当該延長線に近づく方向に延伸していることから、より少ない力で使用者がプロジェクタ２の水平方向の回動を行うことが可能である。
【００５１】
また、図８に示すように、プロジェクタ２の投影面が水平面に配されたスクリーンに設定されている場合（投影方向が鉛直方向の場合）には、第４の把持部１１を把持して、プロジェクタ２の水平方向の回動を行うことが可能であり、第４の把持部１１は、プロジェクタ２の水平方向の回動軸芯の延長線Ｌ１に対して垂直の方向で、かつ、当該延長線に近づく方向に延伸していることから、より少ない力で使用者がプロジェクタ２の水平方向の回動を行うことが可能である。
【００５２】
また、第６の把持部１３及び第７の把持部１４の存在によって、使用者に把持する部分の選択肢を幅広く提供して、そのフレキシブルな操作性を実現可能である他、プロジェクタ用方向調整具５０の強度を向上させることが可能である。
【００５３】
また、第４の把持部１１及び／又は第５の把持部１２は、第１の把持部６の先端部６ａ及び第２の把持部７の先端部７ａに連結される必要はなく、使用者が問題なく把持可能であれば、第１の把持部６の中腹部６ｂ及び／又は第２の把持部７の中腹部７ｂに連結されてもよいことは当然である。
【００５４】
また、第４の把持部１１、第５の把持部１２、第６の把持部１３及び第７の把持部１４は、プロジェクタの投影範囲に干渉しない位置に配される。
【００５５】
本発明の第２の実施形態に係るプロジェクタ用方向調整具の使用方法については、第１の実施形態における使用方法の説明、図４乃至図６と同様であり、前述の如く、プロジェクタ２の投影面が鉛直面に配されたスクリーンに設定されている場合には前記第５の把持部１２を、プロジェクタの投影面が水平面に配されたスクリーンに設定されている場合には前記第４の把持部１１を把持することにより、プロジェクタの水平方向の回動をより容易に行うことが可能となる。
【００５６】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００５７】
１        プロジェクタ用方向調整具（本発明の第１の実施形態）
２        プロジェクタ
２ａ      レンズ
３        取付具
５        基体部
６        第１の把持部
６ａ      先端部
６ｂ      中腹部
７        第２の把持部
７ａ      先端部
７ｂ      中腹部
８        第３の把持部
１１      第４の把持部
１２      第５の把持部
１３      第６の把持部
１４      第７の把持部
２０      スクリーン（２１，２２，２３）
２１      第１のスクリーン
２２      第２のスクリーン
２３      第３のスクリーン
２６      使用者
２７      上部構造物（天井）
２８      床面
２８ａ    テーブル
２９      櫓体
２９ａ    上部構造物（梁）
３０      固定プレート
３３      ２軸ヒンジ
３３ａ    取付プレート
３３ｂ    第１ヒンジ
３３ｃ    第２ヒンジ
３３ｄ    水平方向回動軸
３３ｅ    鉛直方向回動軸
４１，４２，４３，４４  螺子
４１ａ１  螺子穴
５０      プロジェクタ用方向調整具（本発明の第２の実施形態）
６０      吊り下げ装置
６３      取付具
６１      基体部
Ｌ１      水平方向の回動軸芯の延長線
Ｌ２      鉛直方向の回動軸芯の延長線
【図１】
2014199315.tif 000003
【図２】
2014199315.tif 000004
【図３】
2014199315.tif 000005
【図４】
2014199315.tif 000006
【図５】
2014199315.tif 000007
【図６】
2014199315.tif 000008
【図７】
2014199315.tif 000009
【図８】
2014199315.tif 000010
【図９】
2014199315.tif 000011